(57)【特許請求の範囲】
【請求項１】
少なくとも情報を入力するキーボードが上面に備えられた本体部と、
少なくとも情報を表示し、タッチ入力がなされるディスプレイが上面に備えられた表示部と、を備え、
上記表示部が、上記本体部の上部に重ねられた第１の位置と、上記表示部が上記本体部の上部を開放した第２の位置との間でスライド自在に構成されるとともに、上記表示部が、上記第２の位置にて上記本体部に対してチルトアップ・チルトダウン自在に構成され、
上記表示部が上記第１の位置から上記第２の位置へのスライドを開始したことを検出する第１のセンサーと、
上記表示部が上記第２の位置にてチルトアップを開始したことを検出する第２のセンサーと、
上記第１のセンサーの検出に応じて上記ディスプレイをタッチすることによる第１の入力モードとし、上記第２のセンサーの検出に応じて上記キーボードによる第２の入力モードとする制御部と、を具備する、
携帯型情報処理装置。
【請求項２】
上記本体部の内部には、上記第２の位置に配された回転支点を中心として、上記本体部に対して、回動自在にされた副本体部が配され、
上記本体部には、上記表示部を上記第１の位置と上記第２の位置との間でスライドさせる第１のスライドガイドが設けられ、
上記副本体部には、第２のスライドガイドが設けられ、
上記表示部の下面には、上記第２のスライドガイド内を挿通し、上記第１のスライドガイド内に抜き差し可能とする第３のスライドガイドが設けられ、
上記表示部を上記第１の位置と上記第２の位置との間でスライドさせる場合には、上記第３のスライドガイドは上記第１のスライドガイドと上記第２のスライドガイドとに挿入され、
上記表示部を上記第２の位置にてチルトアップさせる場合には、上記第３のスライドガイドは、上記第２のスライドガイドに挿入され、上記第１のスライドガイドから抜き出され、上記表示部は上記第２の位置に配された回転支点を中心として、上記副本体部とともに回動される、請求項１に記載の携帯型情報処理装置。
【請求項３】
上記本体部の内部にバッテリーが収納されており、
上記バッテリーは、上記第１の位置から上記第２の位置へと上記表示部がスライドする方向の反対側へ偏った位置に配置される、請求項１に記載の携帯型情報処理装置。
【請求項４】
上記制御部は、
上記第１のセンサーが、上記表示部が上記第１の位置から上記第２の位置へのスライドが開始したことを検出するとともに、上記第２のセンサーが、上記表示部が上記第２の位置にてチルトアップ開始していないことを検出する場合に、上記第１の入力モードを実行する、請求項１に記載の携帯型情報処理装置。
【請求項５】
上記制御部は、上記第１の入力モードとして、手書きモードを実行する、請求項４に記載の携帯型情報処理装置。
【発明の詳細な説明】
【技術分野】
【０００１】
本発明は、例えば、ノート型パーソナルコンピュータと同等の機能を持ちながら、より小型で、可搬性に優れ、使用者が手で把持した状態で、キー入力等の入力操作を容易に行うことができるようになされた所謂ウルトラモバイルＰＣ（ＵＭＰＣ）に代表される携帯型情報処理装置に関するものである。
【背景技術】
【０００２】
本発明の出願人は、小型で、可搬性に優れ、使用者が手で把持した状態で、キー入力等の入力操作を容易に行うことができるようになされた携帯型情報処理装置に関して、扁平状で矩形状の本体部の上部に扁平状で矩形状の表示部を載置し、表示部を本体部に対してスライド方式で開閉したり、回転（チルト）方式で開閉することにより、本体部上にあって、表示部で隠蔽されていた操作キーを露呈させることにより、小型化による可搬性の向上等を図ったものを先に出願している。
【特許文献１】特開２００４−２４６６０５号公報
【特許文献２】特開２００５−９２６５８号公報
【特許文献３】特開２００７−１４２９３６号公報
【特許文献４】特開２００４−８６３３０号公報
【発明の開示】
【発明が解決しようとする課題】
【０００３】
解決しようとする問題点は次のとおりである。
表示部を本体部に対してスライド方式で開閉するだけの携帯型情報処理装置では、卓上での使用時に広いスペースが必要になる上に、表示部の画面が見難くなるという問題がある。
一方、表示部を本体部に対して回転（チルト）方式で開閉する携帯型情報処理装置では、卓上での使用時には広いスペースを必要としない反面、表示部の画面に直接タッチして入力するタッチ入力方式（タブレットタイプ）にあっては、そのタッチ入力時に、表示部が本体部に対して回転し易く、操作性が悪くなると言う問題がある。
また、表示部を単にスライドのみや、単に回転（チルト）のみのものでは、各種のモードの切り換えの多様化を図ることができない等の問題がある。
【課題を解決するための手段】
【０００４】
本発明の携帯型情報処理装置は、少なくとも情報を入力するキーボードが備えられた本体部と、少なくとも情報を表示する表示部とを備え、上記表示部が上記本体部の上部に重ねられた第１の位置と、上記表示部が上記本体部の上部を開放した第２の位置との間でスライド自在に構成され、上記表示部が上記第２の位置にて上記本体部に対してチルトアップ・チルトダウン自在に構成されたものである。
【発明の効果】
【０００５】
本発明の携帯型情報処理装置は、表示部がキーボードが備えられた本体部の上部でスライド及びチルトアップ・チルトダウンするので、卓上での使用と、手で把持して使用する際の使い分けが可能であり、利便性が高い。また、一機種の携帯型情報処理装置でありながら、本体部に対するスライド動作とチルトアップ・チルトダウンの２つの動作を利用して、タッチペン等にて手書きする手書きモードとキーボードにて入力するキーボード入力とのモードの自動切り換えを行えるので、モード切替の多様化を図ることができる。
本発明の携帯型情報処理装置は、表示部のチルトアップ・チルトダウン機構を、表示部を第１の位置と第２の位置との間でスライドするスライド機構のスライドガイドに接合、分離自在に構成したので、表示部の第１の位置と第２の位置との間のスライド動作と、表示部のチルトアップ・チルトダウン動作との切り換えを途切れることなく、スムーズに行える。
本発明の携帯型情報処理装置は、本体部の内部に収納されたバッテリーを本体部の前面側等の表示部の第１の位置から第２の位置へのスライド方向とは反対側へ偏った位置に配置することにより、表示部を第２の位置へスライドして、表示部の上部を開放した時に、バッテリーの重量を利用して携帯型情報処理装置を水平状態に安定させることができ、この状態でのキーボード操作をスムーズに行える。
本発明の携帯型情報処理装置は、表示部が第１の位置から第２の位置へのスライドが開始されたことを第１のセンサーで検出し、表示部が第２の位置にてチルトアップ開始されたことを第２のセンサーで検出し、第１のセンサーによって表示部が起動される第１の入力モードと、第２のセンサーによって表示部が起動される第２の入力モードとを備えているので、表示部のスライド操作とチルトアップ操作を行うだけで、第１のモードと第２のモードとの自動切り換えを行うことができ、操作性が高い。
本発明の携帯型情報処理装置は、表示部を第１の入力モードに対応する第１の表示画面に表示する第１の表示モードと、表示部を第２の入力モードに対応する第２の表示画面に表示する第２の表示モードとを備えたので、第１のモードと第２のモードととのモードの自動切り換えを明確に行うことができる。
本発明の携帯型情報処理装置は、表示部のチルトダウンを検出して表示部が手書き入力モードに切り替えられるので、キーボード入力から手書き入力モードへの切り換えを自動的に行え、操作性が高い。
【発明を実施するための最良の形態】
【０００６】
本発明の携帯型情報処理装置の実施の形態を説明する。
始めに、この携帯型情報処理装置は、ノート型パーソナルコンピュータより小型で、可搬性に優れ、使用者が手で把持した状態で、キー入力等の入力操作を容易に行うことができるようになされたものである。
【０００７】
図１〜図７に示すように、本発明の携帯型情報処理装置１は、外径がほぼ矩形状で、ほぼ扁平な形状に形成されている本体部２と、その本体部２の上部に水平状に載置され、外径がほぼ矩形状で、扁平な形状に形成されている表示部３と、本体部２の後部に組み込まれて、表示部２をチルトアップ及びチルトダウンする副本体部１１とを備えている。
本体部２の上面２ａには、タッチボタンや押しボタン等からなる多数の入力キー４ａを備えたキーボード４が配置されている。
表示部３の上面３ａのほぼ全域に液晶画面等からなる矩形状のディスプレイ５が形成されている。このディスプレイ５は画面に直接タッチして入力するタッチ入力方式「タブレットタイプ」に構成されている。
表示部３の上面３ａで、ディスプレイ５の上部にはマイクロフォン用孔部６や撮像素子及びレンズ等からなる撮像手段７等が設けられている。
【０００８】
本体部２の上部には、表示部３を本体部２の上部で前後方向の水平方向である矢印ａ、ｂ方向へスライドするスライド機構Ｍ１と、表示部３を本体部２の後方位置にて上下方向である矢印ｃ、ｄ方向へチルトアップ及びチルトダウンするチルトアップ・チルトダウン機構Ｍ２とが備えられている。
本体部２の内部には、バッテリー８やハードディスク、フラッシュメモリ等の記録媒体、メイン基板等（何れも図示せず）が収納されている。また、特に重量が重いバッテリー８は本体部２の前面側へ偏倚された位置に配置されている。
表示部３の内部のディスプレイ基板（図示せず）は本体部２の内部のメイン基板等に後述する副本体部１１の内部空間１１ｂを通して配線される配線手段９によって電気的に接続されている。インターネット、携帯電話、テレビジョン、ラジオ等の他の各種の情報処理装置に対する通信用のアンテナ（図示せず）が表示部３等に内蔵されている。
【０００９】
本体部２内には、表示部３の後述する前進位置Ｐ１を検出する第１のセンサーであるセンサーＳＷ１、表示部３の後述するチルトアップ及びチルトダウンを検出する第２のセンサーであるセンサーＳＷ２や表示部３の後述する後退位置Ｐ２を検出する第３のセンサーであるセンサーＳＷ３等が設けられている。これらのセンサーＳＷ１、ＳＷ２、ＳＷ３はマイクロスイッチや光センサー等によって構成されている。
【００１０】
次に、図３〜図６によって、スライド機構Ｍ１とチルトアップ・チルトダウン機構Ｍ２を説明する。
本体部２の内部で、後面２ｃ側へ偏倚された位置に副本体部１１が収納されている。
副本体部１１の前端側が左右一対の回転支点１２によって本体部２の後端２ｃ側へ偏倚された位置に枢支されていて、この副本体部１１は本体部２に対して回転支点１２を中心に上下方向である矢印ａ、ｂ方向に回動自在（スイング運動）に構成されている。
【００１１】
本体部２の上面２ａの左右両側位置には、例えば、剪断面形状がほぼＬ型で、左右対称形状に形成されているガイド溝等からなる左右一対のスライドガイド１３が平行状に形成されている。
副本体部１１の上面１１a の左右両側位置にも、例えば、剪断面形状がほぼＬ型で、左右対称形状に形成されているガイド溝等からなる左右一対のスライドガイド１４が形成されている。副本体部１１の左右一対のスライドガイド１４が本体部２の左右一対のスライドガイド１３の後端に一直線状に、かつ、脱着可能に接続されるように構成されている。
【００１２】
表示部３の下面３ｂの左右両側には、例えば、剪断面形状がほぼＬ型で、左右対称形状に形成されているガイドレール等からなる左右一対のスライドガイド１５が平行状に形成されている。この左右一対のスライドガイド１５が副本体部１１の左右一対のスライドガイド１４内を挿通して本体部２の左右一対のスライドガイド１３内に抜き差し可能に構成されている。
表示部３を本体部２の上部で、図３に実線で示すと共に、図４に１点鎖線で示す第１の位置である前進位置Ｐ１と、図３に１点鎖線で示すと共に、図４に実線で示す第２の位置である後退位置Ｐ２との間で水平方向である矢印ａ、b 方向にスライドするスライド機構Ｍ１が、これら左右一対のスライドガイド１３、１４及びスライドガイド１５によって構成されている。
【００１３】
例えば、表示部３の左右一対のスライドガイド１５の矢印ａ、ｂ方向の両端部の下部にはそれぞれ前後一対のストッパー１６ａ、１６ｂが一体成形されている。これら前後各一対のストッパー１６ａ、１６ｂは本体部２と副本体部１１の各左右一対のスライドガイド１３、１４の底部に形成されたスリット１３ａ、１４ａを挿通して下方に突出されている。
本体部２及び副本体部１１内には表示部３の前後各一対のストッパー１６ａ、１６ｂの矢印ａ、ｂ方向の移動位置を規制する左右各一対のストッパー１７ａ、１７ｂが設けられている。
【００１４】
図４に実線で示す状態は、表示部３の左右一対のスライドガイド１５の矢印ａ方向側の端部が本体部２の左右一対のスライドガイド１３から矢印ｂ方向に離脱されて、その左右一対のスライドガイド１５の矢印ａ方向側のストッパー１６ｂが副本体部１１の左右一対のストッパー１７ｂに矢印ｂ方向から当接され、表示部３が左右一対のスライドガイド１５の矢印ａ方向側の端部によって副本体部１１に保持されている状態を示している。
チルトアップ・チルトダウンするチルトアップ・チルトダウン機構Ｍ２は、図４に示す後退位置Ｐ２にて、表示部３が副本体部１１と一体に本体部２に対して回転支点１２を中心として、図４に実線で示すと共に、図５に１点鎖線で示す水平状の後退位置であるチルトダウン位置Ｐ３と、図５に実線で示す上方へチルトアップ位置Ｐ４との間で矢印ｃ、ｄ方向へほぼ９０°の角度内でチルトアップ・チルトダウンすることができるように構成されたものである。
【００１５】
本体部２と表示部３との間が帯状のフレキシブル配線基板等の配線手段９によってスライド機構Ｍ１及びチルトアップ・チルトダウン機構Ｍ２による表示部１の本体部２に対する後述するスライド動作とチルトアップ・チルトダウン動作を考慮した長さで配線手段９によって副本体部１１の内部空間１１ｂを通してジグザグ状等に配線されている。
【００１６】
以上のように構成されたスライド機構Ｍ１とチルトアップ・チルトダウン機構Ｍ２とによれば、図３に実線で示すように、表示部３が本体部２の上部を覆う位置である前進位置
（第１の位置）Ｐ１にある時には、表示部３の左右一対のスライドガイド１５が副本体部１１の左右一対のスライドガイド１４を挿通して本体部２の左右一対のスライドガイド１３内に挿入されている。
【００１７】
そして、表示部３の下面３ｂの左右一対のストッパー１６ａが副本体部１１等の左右一対のストッパー1７ａに矢印ａ方向から当接されて、表示部３が前進位置Ｐ１に位置決めされている。また、表示部３が前進位置Ｐ１に復帰されていることが本体部２の内部のセンサーＳＷ１によって検出されて、電源がＯＦＦされている。
【００１８】
この時、左右一対のスライドガイド１３、１４と左右一対のスライドガイド１５とのフリクション構造部１８等によって表示部３が前進位置Ｐ１に位置決めされるように構成されている。なお、フリクション構造１８を機械的な位置決め機構（図示せず）等に置換することが可能である。
【００１９】
なお、回転支点１２を中心に上下方向である矢印ｃ、ｄ方向にスイング運動される副本体部１１は、下方である矢印ｄ方向へ回動復帰された時に、本体部２の底部に設けられているストッパー１９上に当接して水平となる。
そして、副本体部１１が水平となったことによって、この副本体部１１の左右一対のスライドガイド１５が本体部２の水平な左右一対のスライドガイド１３の後端に水平状で、かつ、脱着可能に連結されるように構成されている。
【００２０】
次に、図４に実線で示すように、表示部３が前進位置Ｐ１（第１の位置）から、後退位置Ｐ２（第２の位置）であると共にチルトダウン位置Ｐ３まで矢印ｂ方向へスライドされると、センサーＳＷ３がＯＮとなることにより、電源がＯＮされ、例えば、キーボード４によるキーボード入力モードから、タッチペンによる手書き入力モード等への入力切り換え（入力方法の選択）が行われる。
そして、本体部２の上面２ａのキーボード４等が全て開放される。
この時には、表示部３の左右一対のスライドガイド１５が本体部３の左右一対のスライドガイド１３から矢印ｂ方向へ抜き出て、副本体部１１の左右一対のスライドガイド１４内に保持される。
【００２１】
そして、表示部３の下面１３ｂの左右一対のストッパー1６ｂが副本体部１１の左右一対のストッパー1７ｂに矢印 b 方向から当接されて、表示部３が後退位置Ｐ２に位置決めされる。
また、この時、本体部２の内部のセンサーＳＷ１がＯＦＦされる一方、表示部３によって本体部２の内部の矢印ｂ方向側のセンサーＳＷ３がＯＮされて、表示部３の後退位置Ｐ２が検出される。
また、この時にも、左右一対のスライドガイド１４と左右一対のスライドガイド１５とのフリクション構造部１８や機械的な位置決め機構（図示せず）によって表示部３が後退位置Ｐ２に位置決めされるように構成されている。
【００２２】
そして、表示部３が図４に実線で示されている共に、図５に１点鎖線で示さている後退位置（第２の位置であると共にチルトダウン位置）Ｐ２（Ｐ３）へスライドされたことによって、図５に実線で示すように、表示部３を水平状態から上方へほぼ９０°の範囲内の任意のチルトアップ位置（第３の位置）Ｐ４まで矢印ｃ、ｂ方向へほぼ９０°の角度内で自由に角度調整することができる。
この時、表示部３の左右一対のスライドガイド１５の矢印ａ方向側が副本体部１１の左右一対のスライドガイド１４内にフリクション構造部１８によって保持されていることによって、表示部３を副本体部１１と一体に左右一対の回転支点１２を中心に矢印ｃ、ｄ方向へ無段階又は有段階に回動（所謂、スイング運動）させて、表示部３をほぼ９０°の範囲内の起き上り位置（第３の位置）に設定することができる。
また、この時にも、左右一対の回転支点１２の周囲での、本体部２に対する副本体部１１のフリクション構造２０や多段階の機械的な位置決め機構（図示せず）によって表示部３が矢印ｃ、ｄ方向の任意の位置にて位置決めされるように構成されている。
【００２３】
そして、表示部３が回転支点１２を中心に上方である矢印ｃ方向へ回動されると、本体部２の内部のセンサーＳＷ３がＯＦＦされる一方、本体部２の内部のセンサーＳＷ２がＯＮされて、表示部３がチルトアップされたことが検出される。
そして、センサーＳＷ２のＯＮによって、例えば、タッチペンによる手書き入力モードから、キーボード４によるキーボード入力モード等への入力切り換え（入力方法の選択）が自動的に行われる。
【００２４】
なお、携帯型情報処理装置１の収納時には、表示部３を左右一対の回転支点１２の回りに図５に実線で示すチルトアップ位置から図４に実線で示す後退位置（水平位置）Ｐ２まで矢印ｄ方向へ回動（折り畳むこと）させた後、表示部３を左右一対のスライドガイド１３、１４及び１５に沿って図３に実線で示す前進位置Ｐ１まで矢印ａ方向へスライドして、表示部３で本体部２の上部を覆い、２つのセンサーＳＷ１、ＳＷ２のＯＮ、ＯＦＦによって電源をＯＦＦする。
【００２５】
以上のように構成された本発明の携帯型情報処理装置１によれば、この携帯型情報処理装置１を本体部３の底面３ｃによって卓上に載置して使用する際には、図４に実線で示すように、表示部３を本体部２の後方へスライドさせた状態で使用すれば、後述するように、タッチペンを用いて表示部３のディスプレイ５への入力等の操作等を行う際の操作性が良い。
【００２６】
この際、図３〜図５に示すように、重量が比較的重いバッテリー８を、本体部２の後退位置Ｐ２へのスライド方向に対する反対方向であるの前面２ｂ側へ偏倚させておけば、表示部３のディスプレイ５へのタッチペン入力の操作時に、表示部３の前面２ｂ側がシーソー状に浮き上がり難く、タッチペン入力の操作性が向上する。
一方、この携帯型情報処理装置１を手で把持して使用する際には、図５に実線で示すように、表示部３を本体部２の後方位置で矢印ｃ方向に立ち上げた状態で使用することにより、ディスプレイ５の視認性を向上し易い。
【００２７】
次に、図２は、本実施の形態の携帯型情報処理装置１におけるディスプレイ５のタッチペンによる入力のためのアプリケーションのー例を示したものである。図２の上段の左上段から、ウエブブラウザーの起動やインターネットに接続するためのタッチスイッチであるインターネットＳＷ２１、メールアプリケーションを起動するためのタッチスイッチであるメールＳＷ２２、音楽再生用のアプリケーションを起動するためのタッチスイッチであるミュージックＳＷ２３である。
【００２８】
図２の中段が左から、地図表示アプリケーションを起動するタッチスイッチである地図ＳＷ２４、チャットやファイル転送等を行うことができるアプリであるインスタントメッセンジャーを起動するタッチスイッチであるコミュニケーションＳＷ２５、マイドキュメント・フォルダ内のファイルを参照する画像を表示するタッチスイッチであるマイドキュメントＳＷ２６である。
【００２９】
図２の下段が左から、チャットやファイル転送等を行うことができるアプリであるインスタントメッセンジャーを起動するタッチスイッチであるコミュニケーションＳＷ２７、撮影用アプリケーションを起動するタッチスイッチであるカメラＳＷ２８、無線接続する機器を設定する設定画面を表示するタッチスイッチである無線接続設定ＳＷ２９である。
図２の最下段は、音楽調整用ＧＵＩのタッチスイッチ３０、液晶画面の明るさ変更用ＧＵＩのタッチスイッチ３１であり、左側は、上から外部ディスプレイ出力切り換え用ＧＵＩのタッチスイッチ３２、画面の縦・横表示切り換え用ＧＵＩのタッチスイッチ３３である。
【００３０】
本例の携帯型情報処理装置１は、第１，第２のオペレーティングシステムを搭載している。第１のオペレーティングシステムとしては例えばＬｉｎｕｘが採用される。Ｌｉｎｕｘは、他のオペレーティングシステムに比べ、性能の低いコンピュータでも軽快に動作する特徴を持つ。
一方、第２のオペレーティングシステムの例としては、例えばＷｉｎｄｏｗｓ  Ｖｉｓｔａ（登録商標）等が挙げられる。
図８は、例えば、Ｗｉｎｄｏｗｓ  Ｖｉｓｔａ（登録商標）に代表される第２のオペレーティングシステムの起動された後にディスプレイ５に表示される表示画面４１である。
ここでは、第２のオペレーティングステムの起動時間は、第１のオペレーティングシステムの起動時間より長い。つまり、第２のオペレーティングシステムは、起動するまでの時間がより長くかかる。
この図８の表示画面４１には、周知であるマイドキュメント、マイコンピュータ、マイネットワーク、インターネットその他の多数のショートカットアイコン４２やスタートボタン４３を有するタクスバー４４等が表示される。
【００３１】
次に、図９は、ディスプレイ５に表示されたタッチペンによる手書き入力のための仮想入力用画面５１であり、第１のオペレーティングシステム上で手書き入力モードとして実行されるメモ・アプリケーションの画面である。従って例えば、直ぐにメモを取りたい時などには、メモ・アプリケーションが、短時間で起動する第１のオペレーティングシステム上で実行されることは、利便性の向上が図られる。とりわけ、携帯型情報処理装置を把持した状態においては、タッチペンによる手書き入力は便利である。
この仮想入力用画面５１下部位置等に、複数の入力枠領域５２、所定の処理を実行するための複数の処理釦５３や入力された文字が表示される表示部５４等が表示されている。また、複数の入力枠領域５２内の下端にはそれぞれ変換キー５５が表示されている。
【００３２】
複数の入力枠領域５２は、例えば、ビットマップ形式のデータとして作成されており（ＣＢiｔｍａｐｕｔｔｏｎ）、入力枠領域５２に対する検出状態が「ＷＭ_ＭＯＵＳＥＭＯＶＥ」メッセージを用いて行われる（検出工程）。ポインター５６が入力枠領域５２内へ移動され、出力される「ＯＮ_ＷＭ_ＭＯＵＳＥＭＯＶＥ」メッセージに基づきポインターの座標数値が入力枠領域５２内の座標数値に含まれる値となったときに、この入力枠領域５２のビットマップ画像表示が変換されてアクティブ状態とされる。
従って、この入力枠領域５２ａが対象入力枠領域５２・・よりサイズが大きくなる表示制御工程を備えている。
【００３３】
そこで、使用者がタッチペンを用いて仮想入力用画面５１に手書き入力を行う際、
例えば、「ばらがさいた」の文字を入力する際であれば、
「ば」、「ら」、「が」、「さ」、「い」、「た」の文字が順次入力５７開始されると、「ＷＭ_ＬＢＵＴＴＯＮＤＯＷＮ」メッセージが出力される。
図９では、「た」が入力された状態が示されていて、文字の入力中は、ポインター５６の動きに合わせてＷＭ_ＭＯＵＳＥＭＯＶＥメッセージが出力される。
手書き入力が終了し、ＷＭ_ＭＯＵＳＥＭＯＶＥメッセージの出力が一定時間停止されると、活字表示に切り換わり、書体変換が行われて、活字文字に変換された「ばらがさいた」の活字文字５８が仮想入力用画面５１の左上等に表示されるようになされている。
【００３４】
ここで、先に構造を説明した本実施の形態の携帯型情報処理装置１の表示部３の位置及びチルト状態に応じた制御動作について説明する。
まず図１０により、携帯型情報処理装置１の内部ハードウェア構成を述べる。
【００３５】
制御中枢であるＣＰＵ１０１は、バス（FSB:Front Side Bus）を介して制御装置１０２に接続されている。該制御装置１０２は、後述する制御装置やデバイスとともに演算処理手段を構成する。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、制御装置１０４、上述した液晶表示デバイス等のディスプレイ５が接続されている。
【００３６】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００３７】
バス（ＰＣＩバス）には、無線通信用デバイス１０６としての無線式ＬＡＮ（Ｗ−ＬＡＮ）や、外部メモリや外部機器との接続や制御を行うためのデバイス１０７が接続されている。外部メモリとしては、装置本体部への着脱が可能な半導体メモリ装置、例えば、スティック状記憶媒体のデータを読み書きするための制御用デバイス１０８や、カード状記憶媒体等の制御用デバイス１０９が設けられている。また、デバイス１０７は外部機器との接続用インターフェース（例えばシリアルデバイスをコンピュータに追加するためのハードウェアの仕様を定義する「IEEE 1394」等）の機能を有する。
【００３８】
制御装置１０４には、ＬＡＮ（Local Area Network）接続用デバイス１１０が接続される。
またディスプレイ５に対してタッチパネル１１１が形成され、タッチパネルによる入力情報が制御装置１０４に入力され、上述のタッチペンによる手書き入力が行われる。
【００３９】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００４０】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。
またマイクロフォン１２１からの音声入力は、オーディオ信号処理部１１３においてディジタル化される。
【００４１】
記憶装置１１６には、コンピュータを動作させるための制御プログラム等が格納されており、ＬＰＣ（Low Pin Count：シリアルバス）等を用いて制御装置１０４、１１７に接続されている。
【００４２】
制御装置１１７は、各種信号の制御を行う汎用装置であり、例えば、「ＥＣ」（Embedded Controller：組み込みコントローラ）が用いられ、キーボードコントローラの機能や、システムの電源制御やシステムの付加機能等について制御を行う。本例のような携帯型機器等ではマイクロコンピュータが搭載されてもよい。尚、記憶装置１１６内の制御プログラムを変更することによってコンピュータの制御方法を変えることができる。
【００４３】
また、キーボード４等の装置本体部に設けられた複数の操作要素を含む操作部１１９からの信号が制御装置１１７に対して送出される。
また、上述したセンサーＳＷ１，ＳＷ２，ＳＷ３による検出信号が制御装置１１７に対して送出される。
装置本体部に外部機器を直接的に接続するための接続部１２０としては、ＵＳＢ（Universal Serial Bus）コネクタが設けられており、該コネクタは制御装置１０４に接続されている。
【００４４】
例えばこのような構成における本例の携帯型情報処理装置１で行われる、スライド機構Ｍ１及びチルトアップ・チルトダウン機能Ｍ２の状態に応じた処理例として、第１の処理例を図１１を用い、図１〜図７及び図１０を参照しながら説明する。
これは、表示部３の位置およびチルト状態に応じて切り替わる第１のオペレーティングシステムのモード切替機能としての処理例となる。
【００４５】
携帯型情報処理装置１のＣＰＵ１０１は、制御装置１１７で検出されるセンサーＳＷ１，ＳＷ２，ＳＷ３の状態を検知しながら図１１の処理を行う。
表示部３の端部が前進位置Ｐ１にあり、電源がオフ状態にあるいは、第１のオペレーティングシステムがスタンバイ状態であるときに、ＣＰＵ１０１は、ステップ００１０において、所定時間毎に表示部３が本体部２に対して開方向、つまり、矢印ｂ方向へスライドしたか否か判断する。
制御装置１１７は、常時、センサーＳＷ１，ＳＷ２，ＳＷ３の状態を監視しており、このセンサーＳＷ１，ＳＷ２，ＳＷ３からのオン信号、オフ信号に応じて、本体部２に対する表示部３の位置状態、スライド動作・チルト動作の状態を判別し、ＣＰＵ１０１に伝達する。そして制御装置１１７は、センサーＳＷ１のオフ信号、センサーＳＷ３のオン信号により表示部３の開方向へのスライドを検出したら、その通知をＣＰＵ１０１に発する。
【００４６】
ＣＰＵ１０１は、制御装置１１７からの通知により表示部３の開方向へのスライドを検知したら、処理をステップ００１０から００１１に進める。
そしてステップ００１１で、電源オン状態の制御、もしくはスタンバイ状態からの復帰制御を行う。そして第１のオペレーティングシステム（以下、オペレーティングシステムを「ＯＳ」と表記する）の起動或いはスタンバイ状態から復帰につづき、ＣＰＵ１０１はステップ００１２で、手書き入力モードとして実行されるメモ・アプリケーションを起動する。
【００４７】
ＣＰＵ１０１は、ステップ００１３，００１５では、制御装置１１７からの通知による表示部３の状態を監視している。
制御装置１１７はセンサーＳＷ２のオン信号によって表示部３がチルトアップされたことを認識すると、それをＣＰＵ１０１に通知する。これによってＣＰＵ１０１はステップ００１５で表示部３のチルトアップを検知することになる。この場合は、ＣＰＵ１０１は処理をステップ００１６に進め、キーボード入力モードへの切り換え処理を行う。このキーボード入力モードでは、キーボード４による入力が行われる状態となる。
【００４８】
キーボード入力モードに移行した後は、ＣＰＵ１０１はステップ００１７でチルトダウンを監視する。
制御装置１１７はセンサーＳＷ２のオフ信号、センサーＳＷ３のオン信号によって表示部３がチルトダウンされたこと（後退位置Ｐ２の状態になったこと）を認識すると、それをＣＰＵ１０１に通知する。
ＣＰＵ１０１は制御装置１１７からの通知により表示部３のチルトダウンを検知した場合は、ステップ００１２に戻り、ＣＰＵ１０１は手書き入力モードを起動する。手書き入力モードに復帰した後は、ＣＰＵ１０１は、再びステップ００１３，００１５で表示部３の状態を監視する。
【００４９】
表示部３が後退位置Ｐ２とされて手書き入力モードの状態にある場合において、制御装置１１７はセンサーＳＷ３のオフ信号、センサーＳＷ１のオン信号によって表示部３が閉方向へスライドされたこと（前進位置Ｐ１の状態になったこと）を認識すると、それをＣＰＵ１０１に通知する。
ＣＰＵ１０１は、制御装置１１７からの通知により、表示部３の閉方向へのスライドを検知すると、処理をステップ００１３から００１４に進め、この場合、電源オフ制御、もしくはスタンバイ状態への移行処理を行う。これによって携帯型情報処理装置１は電源オフ状態、又はスタンバイ状態となる。
【００５０】
以上の図１１の処理により、携帯型情報処理装置１では、ユーザが表示部３を開方向へスライドさせることで、第１のＯＳが起動（復帰）され、手書き入力モードの状態となる。即ちユーザは手書き入力により情報入力が可能な状態となる。
またユーザが表示部３をチルトアップさせると、自動的にキーボード入力モードとなり、キーボード４を使用した入力が可能となる。
またユーザが表示部３をチルトダウンさせると、再び手書き入力モードとなり、さらに表示部３を閉位置にスライドさせると、電源オフ又はスタンバイ状態となる。
【００５１】
次に、図１２によって携帯型情報処理装置１の第２の処理例を説明する。
携帯型情報処理装置１のＣＰＵ１０１は、制御装置１１７で検出されるセンサーＳＷ１，ＳＷ２，ＳＷ３の状態に応じて図１２の処理を行う。
表示部３の端部が前進位置Ｐ１にあるときに、ＣＰＵ１０１は、ステップ００２０において、所定時間毎に表示部３が本体部２に対して開方向、つまり、矢印ｂ方向へスライドしたか否か判断する。
制御装置１１７は、常時、センサーＳＷ１，ＳＷ２，ＳＷ３の状態を監視しており、このセンサーＳＷ１，ＳＷ２，ＳＷ３からのオン信号、オフ信号に応じて、本体部２に対する表示部３の位置状態、スライド動作・チルト動作の状態を判別し、ＣＰＵ１０１に伝達する。そして制御装置１１７は、センサーＳＷ１のオフ信号、センサーＳＷ３のオン信号により表示部３の開方向へのスライドを検出したら、その通知をＣＰＵ１０１に発する。
【００５２】
ＣＰＵ１０１は、制御装置１１７からの通知により表示部３の開方向へのスライドを検知したら、処理をステップ００２０から００２１に進める。
そしてＣＰＵ１０１はステップ００２１で、第１のＯＳの起動或いはスタンバイ状態から復帰処理を行う。これにより第１のＯＳ上で各種動作処理が可能な状態となる。
【００５３】
ＣＰＵ１０１は、ステップ００２２，００２４では、制御装置１１７からの通知による表示部３の状態を監視している。
制御装置１１７はセンサーＳＷ２のオン信号によって表示部３がチルトアップされたことを認識すると、それをＣＰＵ１０１に通知する。これによってＣＰＵ１０１はステップ００２４で表示部３のチルトアップを検知することになる。この場合は、ＣＰＵ１０１は処理をステップ００２５に進め、第２のＯＳの起動或いはスタンバイ状態から復帰処理を行う。これにより第２のＯＳ上で各種動作処理が可能な状態となる。なお、この際第１のＯＳについてはスタンバイ状態に移行させる。
【００５４】
第２のＯＳによる動作状態に移行した後は、ＣＰＵ１０１はステップ００２６でチルトダウンを監視する。
制御装置１１７はセンサーＳＷ２のオフ信号、センサーＳＷ３のオン信号によって表示部３がチルトダウンされたこと（後退位置Ｐ２の状態になったこと）を認識すると、それをＣＰＵ１０１に通知する。
ＣＰＵ１０１は制御装置１１７からの通知により表示部３のチルトダウンを検知した場合は、ステップ００２７で、第２のＯＳによる動作状態を終了させ、もしくは第２のＯＳをスタンバイ状態に移行させる。そしてステップ００２１に戻り、ＣＰＵ１０１は第１のＯＳをスタンバイ状態から復帰させ、第１のＯＳ上で各種動作処理が可能な状態とさせる。
【００５５】
表示部３が後退位置Ｐ２とされて、第１のＯＳ上で各種動作処理が可能な状態にある場合において、制御装置１１７はセンサーＳＷ３のオフ信号、センサーＳＷ１のオン信号によって表示部３が閉方向へスライドされたこと（前進位置Ｐ１の状態になったこと）を認識すると、それをＣＰＵ１０１に通知する。
ＣＰＵ１０１は、制御装置１１７からの通知により、表示部３の閉方向へのスライドを検知すると、処理をステップ００２２から００２３に進め、この場合、第１のＯＳの終了処理、もしくはスタンバイ状態への移行処理を行う。
【００５６】
以上の図１２の処理により、携帯型情報処理装置１では、ユーザが表示部３を開方向の位置状態とすることで、第１のＯＳが起動（復帰）され、第１のＯＳ上で各種動作処理が可能な状態となる。
またユーザが表示部３をチルトアップさせると、第２のＯＳが起動（復帰）され、第２のＯＳ上で各種動作処理が可能な状態となる。
従って、表示部３が前進位置Ｐ１から後退位置Ｐ２まで矢印ｂ方向へスライドされただけの状態では、短時間に起動する第１のオペレーティングシステムが起動され、図２のディスプレイ５のメニュー画面の中から機能を選択することで、限られた選択肢ではあるが、直ぐに、最低限の機能を利用することが可能となる。
【００５７】
次に、図１３によって携帯型情報処理装置１の第３の処理例について説明する。
携帯型情報処理装置１のＣＰＵ１０１は、制御装置１１７で検出されるセンサーＳＷ１，ＳＷ２，ＳＷ３の状態に応じて図１３の処理を行う。
表示部３の端部が前進位置Ｐ１にあるときにＣＰＵ１０１は、ステップ００３０において、所定時間毎に表示部３が本体部２に対して開方向、つまり、矢印ｂ方向へスライドしたか否か判断する。
制御装置１１７は、常時、センサーＳＷ１，ＳＷ２，ＳＷ３の状態を監視しており、このセンサーＳＷ１，ＳＷ２，ＳＷ３からのオン信号、オフ信号に応じて、本体部２に対する表示部３の位置状態、スライド動作・チルト動作の状態を判別し、ＣＰＵ１０１に伝達する。そして制御装置１１７は、センサーＳＷ１のオフ信号、センサーＳＷ３のオン信号により表示部３の開方向へのスライドを検出したら、その通知をＣＰＵ１０１に発する。
【００５８】
ＣＰＵ１０１は、制御装置１１７からの通知により表示部３の開方向へのスライドを検知したら、処理をステップ００３０から００３１に進める。
そしてＣＰＵ１０１はステップ００３１で、第１のＯＳの起動或いはスタンバイ状態から復帰処理を行う。これにより第１のＯＳ上で各種動作処理が可能な状態となる。
またこのときＣＰＵ１０１は、第２のＯＳの起動処理を開始する。
【００５９】
ＣＰＵ１０１は、ステップ００３２，００３４では、制御装置１１７からの通知による表示部３の状態を監視している。
制御装置１１７はセンサーＳＷ２のオン信号によって表示部３がチルトアップされたことを認識すると、それをＣＰＵ１０１に通知する。これによってＣＰＵ１０１はステップ００３４で表示部３のチルトアップを検知することになる。この場合は、ＣＰＵ１０１は処理をステップ００３５に進め、第２のＯＳによる動作状態に切り換える。第２のＯＳの起動処理は上記ステップ００３１の段階で開始されているため、殆どの場合はチルトアップ後、即座に第２のＯＳによる動作が開始できる。
【００６０】
第２のＯＳによる動作状態に移行した後は、ＣＰＵ１０１はステップ００３６でチルトダウンを監視する。
制御装置１１７はセンサーＳＷ２のオフ信号、センサーＳＷ３のオン信号によって表示部３がチルトダウンされたこと（後退位置Ｐ２の状態になったこと）を認識すると、それをＣＰＵ１０１に通知する。
ＣＰＵ１０１は制御装置１１７からの通知により表示部３のチルトダウンを検知した場合は、ステップ００３７で、第２のＯＳによる動作状態から第１のＯＳによる動作状態に切り換え、ステップ００３２，００３４の監視処理に戻る。
【００６１】
表示部３が後退位置Ｐ２とされて、第１のＯＳ上で各種動作処理が行われる状態にある場合において、制御装置１１７はセンサーＳＷ３のオフ信号、センサーＳＷ１のオン信号によって表示部３が閉方向へスライドされたこと（前進位置Ｐ１の状態になったこと）を認識すると、それをＣＰＵ１０１に通知する。
ＣＰＵ１０１は、制御装置１１７からの通知により、表示部３の閉方向へのスライドを検知すると、処理をステップ００３２から００３３に進め、この場合、第１のＯＳの終了処理、もしくはスタンバイ状態への移行処理を行う。さらに第２のＯＳの終了処理を行う。
【００６２】
以上の図１３の処理により、携帯型情報処理装置１では、ユーザが表示部３を開方向の位置状態とすることで、第１のＯＳによる動作状態となり、またユーザが表示部３をチルトアップさせると、第２のＯＳによる動作状態となる。
そして特に第２のＯＳは第１のＯＳに比較して起動に時間を要するものであるが、第２のＯＳの起動処理は、第１のＯＳによる動作状態にあるときから開始されているため、チルトアップ後、迅速に第２のＯＳによる動作状態に移行できる。
【００６３】
以上のように構成され、動作される本発明の携帯型情報処理装置１によれば次のような特徴がある。
（Ａ）表示部３がキーボード４が備えられた本体部２の上部でスライド及びチルトアップ・チルトダウンするので、卓上での使用と、手で把持して使用する際の使い分けが可能であり、利便性が高い。また、一機種の携帯型情報処理装置１でありながら、本体部２に対するスライド動作とチルトアップ・チルトダウンの２つの動作を利用した各種のモード切換えの多様化を図ることができることができる。
（Ｂ）表示部３のチルトアップ、チルトダウンが第２のセンサーＳＷ２によって検出され、これに応じて第１、第２のオペレーティングシステムの切り換えは行われるため、第１、第２ののオペレーティングシステムの自動切り替えを行うことができる。
（Ｃ）表示部３の第１の位置Ｐ１から第２の位置Ｐ２へのスライド開始が第１のセンサーＳＷ１によって検出されて第１のオペレーティングシステムが動作される最中に、第２のオペレーティングシステムが起動されるので、第２のオペレーティングシステムの立ち上げを素早く行え、操作性が高い。
【００６４】
（Ｄ）表示部３がキーボード４が備えられた本体部２の上部でスライド及びチルトアップ・チルトダウンするので、卓上での使用と、手で把持して使用する際の使い分けが可能であり、利便性が高い。また、一機種の携帯型情報処理装置１でありながら、本体部２に対するスライド動作とチルトアップ・チルトダウンの２つの動作を利用して、タッチペン等にて手書きする手書きモードとキーボードにて入力するキーボード入力とのモードの自動切り換えを行えるので、モード切替の多様化を図ることができる。
（Ｅ）表示部３のチルトアップ・チルトダウン機構Ｍ１を、表示部３を第１の位置Ｐ１と第２の位置Ｐ２との間でスライドするスライド機構Ｍ１のスライドガイドに接合、分離自在に構成したので、表示部３の第１の位置Ｐ１と第２の位置Ｐ２との間のスライド動作と、表示部３のチルトアップ・チルトダウン動作との切り換えを途切れることなく、スムーズに行える。
（Ｆ）本体部２の内部に収納されたバッテリー８を本体部３の前面２ａ側等の表示部３の第１の位置Ｐ１から第２の位置Ｐ２へのスライド方向とは反対側へ偏った位置に配置することにより、表示部３を第２の位置Ｐ２へスライドして、表示部３の上部を開放した時に、
バッテリー８の重量を利用して携帯型情報処理装置１を水平状態に安定させることができ、この状態でのキーボード操作をスムーズに行える。
（Ｇ）表示部３が第１の位置Ｐ１から第２の位置Ｐ２へのスライドが開始されたことを第１のセンサーＳＷ１で検出し、表示部３が第２の位置Ｐ２にてチルトアップ開始されたことを第２のセンサーＳＷ２で検出し、第１のセンサーＳＷ１によって表示部３が起動される第１の入力モードと、第２のセンサーＳＷ２によって表示部３が起動される第２の入力モードとを備えているので、表示部３のスライド操作とチルトアップ操作を行うだけで、第１のモードと第２のモードとの自動切り換えを行うことができ、操作性が高い。
（Ｈ）表示部３を第１の入力モードに対応する第１の表示画面に表示する第１の表示モードと、表示部３を第２の入力モードに対応する第２の表示画面に表示する第２の表示モードとを備えたので、第１のモードと第２のモードとのモードの自動切り換えを明確に行うことができる。
（Ｉ）表示部３のチルトダウンを検出して表示部３が手書き入力モードに切り換えられるので、キーボード入力から手書き入力モードへの切り換えを自動的に行え、操作性が高い。
【産業上の利用可能性】
【００６５】
以上、本発明の実施の形態に付き述べたが、本発明はこの実施の形態に限定されることなく、本発明の技術的思想に基づいて各種の変更が可能である。
例えば、本発明の実施の形態では、表示部３を本体部２上で矢印ａ、ｂ方向にスライドするスライド機構として、表示部３の下面３ｂに形成された被スライドガイド１５と、本体部２及び副本体部１１の上面２ａ、１１ａに形成されたスライドガイド１３、１４とによって構成された機構が開示されているが、本発明はこれに限定されることなく、表示部３を本体部２上で矢印ａ、ｂ方向にスライドすることが可能な各種の構造を包含するものである。
【図面の簡単な説明】
【００６６】
【図１】本発明の携帯型情報処理装置全体の斜視図である。
【図２】同上の携帯型情報処理装置の表示部の表示画面の一例を示した平面図である。
【図３】同上の携帯型情報処理装置の本体部に対する表示部のスライド機構及びチルトアップ・チルトダウン機構を説明する側面図であって、表示部が本体部の上部に重ねられた状態を示している。
【図４】同上の携帯型情報処理装置の本体部に対する表示部のスライド機構及びチルトアップ・チルトダウン機構を説明する側面図であって、表示部が本体部の上部から本体部の後方のチルトダウン位置へスライドされた状態を示している。
【図５】同上の携帯型情報処理装置の本体部に対する表示部のスライド機構及びチルトアップ・チルトダウン機構を説明する側面図であって、表示部が本体部の後方のチルトダウン位置から上方のチルトアップ位置へチルトアップされた状態を示している。
【図６】図３のＡ−Ａ矢視での拡大断面図である。
【図７】図６の左右一対のスライドガイドの構造を拡大して、一部を切欠いて示した断面図である。
【図８】同上の携帯型情報処理装置のディスプレイのインターネットの立ち上げ画面を示した正面図である。
【図９】同上の携帯型情報処理装置のディスプレイのインターネットの手書き入力用の画面を示した正面図である。
【図１０】同上の携帯型情報処理装置の内部ハードウエア構成のブロック図である。
【図１１】同上の携帯型情報処理装置の制御ソフトを説明する第１の実施例を示したフローチャート図である。
【図１２】同上の携帯型情報処理装置の制御ソフトを説明する第２の実施例を示したフローチャート図である。
【図１３】同上の携帯型情報処理装置の制御ソフトを説明する第３の実施例を示したフローチャート図である。
【符号の説明】
【００６７】
１  携帯型情報処理装置、２  本体部、３  表示部、４  キーボード、５  ディスプレイ、８  シールガラス、１１  副本体部、１２  回転支点、１３、１４  スライドガイド、１５  スライドガイド、４１  表示画面、４２  ショートカットアイコン、４３  スタートボタン、４４  タクスバー、５１  仮想入力用画面、５４  表示部、５７  手書き入力、１０１  ＣＰＵ、１１７  制御装置、Ｍ１  スライド機構、Ｍ２  チルトアップ・チルトダウン機構、ＳＷ１、ＳＷ２、ＳＷ３  センサー
【図１】
0004665980.tif 000002
【図２】
0004665980.tif 000003
【図３】
0004665980.tif 000004
【図４】
0004665980.tif 000005
【図５】
0004665980.tif 000006
【図６】
0004665980.tif 000007
【図７】
0004665980.tif 000008
【図８】
0004665980.tif 000009
【図９】
0004665980.tif 000010
【図１０】
0004665980.tif 000011
【図１１】
0004665980.tif 000012
【図１２】
0004665980.tif 000013
【図１３】
0004665980.tif 000014